(57)【要約】  布地に利益をもたらすためのローラー。本発明は、布地に１以上の利益をもたらすために、１以上の有益剤を、手持ち式のローラーと共に使用することに関する。本発明はまた、１以上の有益剤をローラーに適用するための方法に関する。
2008509288.tif 000002
【特許請求の範囲】
【請求項１】
布地に利益をもたらすための手持ち式ローラーであって、前記手持ち式ローラーが、
ａ）ロール状に形成され、第一側面及び前記第一側面と反対側の第二側面を有する基材と、
ｂ）前記基材の前記第一側面上の接着剤と、
ｃ）前記基材の前記第一側面上の有益剤と
を備えてなり、前記有益剤が前記基材上に約０．１ｇ／ｍ２〜約１５ｇ／ｍ２の量で存在し、また有益剤が香料組成物を含み、前記香料組成物が少なくとも２５重量％のブルーミング香料成分、及び少なくとも２５重量％の持続性香料成分を含み、好ましくは前記有益剤が静電気防止剤を更に含むことを特徴とする、手持ち式ローラー。
【請求項２】
ａ）前記基材の前記第一側面上の障壁剤であって、前記障壁剤が前記基材の前記第一側面に、不連続な位置においてフレキソ印刷により適用され、前記有益剤が前記基材の前記第一側面上の前記障壁剤にフレキソ印刷により適用され、好ましくは前記有益剤が前記障壁剤にオーバーレイし、より好ましくは前記有益剤が前記接着剤に接触しない障壁剤と、
ｂ）前記基材の前記第二側面上の任意の剥離コーティングと
を更に備えてなり、
前記基材の前記第一側面が外側に向いており、前記基材の前記第二側面が前記ロールの中心に向かって内側に向いている、請求項１に記載の手持ち式ローラー。
【請求項３】
前記有益剤が前記接着剤中に組み込まれる、前記有益剤が前記接着剤から好ましくは前記障壁剤により分離される、又はこれらの組み合わせであり、好ましくは、各前記有益剤及び前記接着剤が各々、前記基材上の不連続模様を形成し、より好ましくは前記有益剤及び／又は前記接着剤の前記不連続模様が、ドット、ストライプ、又はこれらの組み合わせの形態である、請求項１又は請求項２に記載の手持ち式ローラー。
【請求項４】
布地に利益を移動させるための手持ち式ローラーであって、前記ローラーが、
ａ）ロール状に形成され、第一側面及び前記第一側面と反対側の第二側面を含む基材と、
ｂ）前記基材の前記第一側面、前記基材の前記第二側面、又はこれらの組み合わせに適用される有益剤であって、前記有益剤が前記基材中に約０．１ｇ／ｍ２〜約１５ｇ／ｍ２の量で存在し、また前記有益剤が香料、静電気防止剤、柔軟化剤、皺取り剤、又はこれらの組み合わせであり、好ましくは前記有益剤が前記基材の不連続領域中にあり、より好ましくは前記有益剤がカプセル化されていることを特徴とする有益剤と、
ｃ）前記基材の前記第二側面上の剥離コーティングと
を備えてなり、
前記手持ち式ローラーが、前記基材の複数個のラップを含み、それによって前記基材の前記第一側面が外側に向いており、前記第二側面が前記ローラーの中心に向かって内側に向いている、手持ち式ローラー。
【請求項５】
前記基材が接着剤を更に含む、請求項４に記載の手持ち式ローラー。
【請求項６】
前記基材の状態をユーザーに伝達するシグナルを更に含む、請求項１〜５のいずれか一項に記載の手持ち式ローラー。
【請求項７】
布地に利益をもたらすための手持ち式ローラーであって、前記手持ち式ローラーが、
ロール状に形成される基材を含み、また前記基材が共押出プラスチックフィルムであり、前記共押出プラスチックフィルムが、少なくとも２つの側面から構成され、前記共押出プラスチックフィルムの１つの側面が有益剤を含み、好ましくは前記有益剤が香料であることを特徴とする、手持ち式ローラー。
【請求項８】
布地に利益を移動させるためのローラーの製造方法であって、
ａ）第一側面及び前記第一側面と反対側の第二側面を有する基材を提供し、
ｂ）接着剤を前記基材の前記第一側面に適用し、
ｃ）前記有益剤が、０．１ｇ／ｍ２〜１５ｇ／ｍ２の量で、前記基材の前記第一側面、前記基材の前記第二側面、又はこれらの組み合わせに適用され、前記有益剤が、香料、静電気防止剤、柔軟化剤、皺取り剤、又はこれらの組み合わせであることを特徴とする有益剤を、前記基材の前記第一側面、前記基材の前記第二側面、又はこれらの組み合わせに適用し、
ｄ）前記基材の複数個のラップから構成されるロールを形成し、それによって前記基材の前記第一側面を外側に向かせ、前記基材の前記第二側面を前記ローラーの中心に向かって内側に向かせること
を含む、方法。
【請求項９】
前記基材の少なくとも１つの側面が、コロナ処理されている、請求項８に記載の方法。
【請求項１０】
前記有益剤が前記基材にフレキソ印刷により適用される、請求項８又は９に記載の方法。
【発明の詳細な説明】
【技術分野】
【０００１】
本発明は、布地に利益をもたらすことができる手持ち式ローラーに関する。
【背景技術】
【０００２】
布地に利益をもたらすために使用される手持ち式ローラーに付随する１つの問題は、ローラーと布地との間で利益を適切に移動させるローラーの能力である。例えば、有益剤をローラーと布地との間で移動させるとき、その非限定的な例は香料であるが、ローラー上に含有される香料の香りがユーザーにはっきりとわかることが望ましい。ローラーから布地への香料の移動時に、香料の香りが布地上ではっきりとわかることもまた望ましい。更に、ローラーから布地への初期移動後に、香りが布地上ではっきりとわかることも望ましい。
【発明の開示】
【発明が解決しようとする課題】
【０００３】
本発明は、１以上の有益剤をローラーと布地との間で適切に移動できるローラーを提供することによって、この問題に対処する。本発明のこの及びその他の特徴、態様、利点、及び変形は、付随する請求項と共に本発明の開示を読むことにより、当業者に明白になり、並びにこれらは請求項の範囲内に含まれる。
【課題を解決するための手段】
【０００４】
本発明は、布地に利益をもたらすための手持ち式ローラーに関する。１つの実施形態では、手持ち式ローラーは、
ａ）ロール状に形成される基材であって、第一側面及び第一側面と反対側の第二側面を有する基材と、
ｂ）基材の第一側面上の接着剤と、
ｃ）前記基材の第一側面上の有益剤と
を備えてなり、有益剤は基材上に約０．１ｇ／ｍ２〜約１５ｇ／ｍ２の量で存在し、その際有益剤は香料組成物を含む。香料組成物は少なくとも約２５重量％のブルーミング香料成分、及び少なくとも約２５重量％の持続性香料成分を含む。
【０００５】
別の実施形態では、手持ち式ローラーは、
ａ）外側に向いている第一側面、及びロールの中心に向かって内側に向いている、第一側面と反対側の第二側面を含むロール状に形成される基材と、
ｂ）基材の第一側面上の接着剤と、
ｃ）基材の第一側面上の障壁剤であって、障壁剤が基材の第一側面に、不連続な位置においてフレキソ印刷により適用される障壁剤と、
ｄ）有益剤であって、有益剤が基材の第一側面上の障壁剤にフレキソ印刷により適用される有益剤と、
ｅ）基材の第二側面上の任意の剥離コーティングと
を備えてなる。
【０００６】
更に別の実施形態では、手持ち式ローラーは、
ロール状に形成される基材を備えてなり、基材は共押出プラスチックフィルムから構成され、共押出プラスチックフィルムは、少なくとも２つの側面から構成され、共押出プラスチックフィルムの１つの側面は有益剤を含む。
【０００７】
本発明はまた、布地に利益を移動させるためのローラーの製造方法に関する。この方法は、
ａ）第一側面及び第一側面と反対側の第二側面を有する基材を提供し、
ｂ）接着剤を基材の第一側面に適用し、
ｃ）有益剤を基材の第一側面、基材の第二側面、又はこれらの組み合わせに適用し、
ｄ）基材の複数個のラップから構成されるロールを形成し、それによって基材の第一側面を外側に向かせ、基材の第二側面をローラーの中心に向かって内側に向かせること
を含む。
【発明を実施するための最良の形態】
【０００８】
ここで、本発明の様々な実施形態が詳細に参照され、その実施例は添付図面に例証されているが、類似の番号は各図面を通して同一の要素を示している。本明細書の百分率、比率、及び割合はすべて、特に指示のない限り、重量を基準とする。
【０００９】
特に指摘される場合を除き、分量、百分率、部分、及び割合を含むすべての量は、「約」という言葉により修正されると理解され、量は有効数字を示すことを意図しない。
【００１０】
特に指摘される場合を除き、冠詞「ａ」、「ａｎ」及び「ｔｈｅ」は「１以上」を意味する。
【００１１】
本明細書で使用するとき、「含む」は、最終結果に影響を与えないその他の工程及びその他の成分を付け加えることができるということを意味する。この用語は、「から成る」及び「から本質的に成る」という用語を包含する。本発明の組成物及び方法／プロセスは、本明細書に記載される本発明の必須要素及び限定、並びに本明細書に記載されるいかなる追加若しくは任意の成分、構成成分、工程、又は限定を含むこと、それらから成ること、及びそれらから本質的に成ることができる。
【００１２】
本明細書で使用するとき、「有益剤」は、布地に利益をもたらす物質又は物質の混合物を指す。有益剤の非限定的な例には、香料、柔軟化剤、パリッとさせる剤（crispening agents）、撥水／防汚剤、清涼剤、静電気防止剤、抗菌剤、消毒剤、パーマネントプレス剤、防しわ剤、しわ伸ばし剤（wrinkle release agents）、防臭剤、悪臭抑制剤、耐磨耗剤、溶媒、防虫／防ペット剤、湿潤剤、ＵＶ保護剤、皮膚／布地コンディショニング剤、皮膚／布地栄養剤（skin/fabric nurturing agents）、色保護剤、シリコーン、防腐剤、漂白剤及び／又は漂白剤前駆体、洗浄剤、布地縮み低減剤、有機溶媒、並びにこれらの組み合わせが挙げられる。
【００１３】
本明細書で使用するとき、用語「布地」は、衣類、リネン、カーテン、掛け布、装身具、革製品、床の敷物などが挙げられるが、これらに限定されない布地物品を包含する。この用語はまた、全体的又は部分的に布地で製造されたその他の品目、例えば、トートバッグ、家具カバー、防水布、靴などを包含する。
【００１４】
本明細書を通じて与えられるあらゆる最大数の限定は、あらゆるより小さい数値の限定を、あたかもそのようなより小さい数値の限定がここに明確に書かれているかのように含むと理解されるべきである。本明細書を通じて与えられるあらゆる最小数の限定は、あらゆるより大きい数値の限定を、あたかもそのようなより大きい数値の限定がここに明確に書かれているかのように含む。本明細書を通じて与えられるあらゆる数値の範囲は、そのようなより広い数値の範囲に入る、あらゆるより狭い数値の範囲を、あたかもそのようなより狭い数値の範囲がすべてここに明確に書かれているかのように含む。
【００１５】
ローラー
本発明の手持ち式ローラーは、ローラーと布地との間での利益の移動をもたらす。ローラーは基材を備える。基材はロール状に形成されてもよい。基材は複数個のラップから構成されてもよく、各基材のラップは、ユーザーに向かって外側に向いている第一側面、及びユーザーから離れて内側に向いている（即ち、ロールの中心の方に向いている）第二側面を有する。基材の各ラップは、分離により隣接するラップから離れていてもよい。好適な分離箇所の非限定的な例には、スリット、穿孔などが挙げられる。所望であれば、複数個の基材ラップがコアの周囲に巻き付けられてもよい。コアは、セルロース系及び／又は非セルロース系材料を含む、当業者によく知られた材料から構成されてもよく、その非限定的な例には、厚紙、プラスチック、金属などが挙げられる。
【００１６】
基材は有益剤を含む。有益剤は、外側に向いている基材の第一側面、内側に向いている基材の第二側面、又は基材の両側面に適用されることができる。有益剤は基材の表面に適用されることができる、基材の中に組み込まれることができる、又はこれらの組み合わせであることができる。布地の表面のような表面へのローラーの接触時に、有益剤はローラーから布地に移動される。布地に利益をもたらすことに加えて、有益剤はまたローラーに、及び／又はローラーを囲む領域に、及び／又は布地を囲む領域に利益をもたらしてもよい。
【００１７】
例えば、１つの非限定的な実施形態では、香料が本発明のローラーの有益剤として用いられるとき、香料は香りをローラーにもたらしてもよい。香りはまたローラーを囲む領域にもたらされてもよい。更に、ローラーの布地への接触時に、香りは布地及び布地を囲む領域にもたらされてもよい。更に、本発明の１つの非限定的な実施形態では、ローラーの布地への接触時に、ローラーから布地への有益剤のより効率のよい移動が生じ、それにより、利益の移動及び維持の向上が布地上で可能になる。
【００１８】
基材はまた、表面からの汚染物質の除去をもたらすための接着剤を含んでもよく、表面の非限定的な例は布地の表面である。含まれるとき、接着剤は最も一般的には、外側に向いている基材の第一側面に適用される。剥離コーティングもまた、基材の個々のラップの、ロールからの除去をもたらすために、並びに製造プロセス中の基材の剥離を促進するのに役立つために含まれてもよい。典型的には、剥離コーティングは、内側に向いている基材の第二側面に加えられる。
【００１９】
場合によっては、基材と共に障壁剤を含むことが望ましい場合がある。障壁剤は、外側に向いている基材の第一側面及び／又は内側に向いている基材の第二側面のいずれにも／いずれかに適用されてもよい。障壁剤は、基材全体又はその一部分に適用されてもよい。それは、連続、半連続、若しくは不連続模様、又はこれらの組み合わせで適用されてもよい。それは不連続な位置において適用されてもよい。障壁剤は担体に適用されてもよく、その非限定的な例には、粒子、例えばゼオライト、デンプン、及びシクロデキストリン；ポリマーフィルム；セルロース系又は非セルロース系であってもよい織布又は不織布材料；並びにこれらの組み合わせが挙げられる。次に、障壁剤を含む担体がローラー基材に適用されてもよい。１つの非限定的な実施形態では、障壁剤を含む担体は基材に積層化されてもよい。それは基材の不連続な位置に積層化されてもよい。理論に束縛されることを望まないが、場合によっては、基材上で接着剤が有益剤に接触することは有益剤の有効性を減らす可能性がある。障壁剤は、有益剤の有効性の損失を防ぐのに役立つように、接着剤と有益剤とを分離するために用いられてもよい。例えば、接着剤が外側に向いている基材の側面に適用され、香料のような有益剤が、接着剤がコーティングされた基材に適用されるはずである、１つの非限定的な実施形態では、接着剤と香料との接触を最小限にするために、香料が適用されるはずである領域のすべて又は幾つかの部分に障壁剤を適用することが望ましい場合がある。
【００２０】
その他の任意の追加成分も同様に基材と共に含まれることができる。任意の追加成分の１つの非限定的な例は、状態をユーザーに伝達するために用いることができるシグナルである。例えば、ローラーの最上部のシートが完全に使用されたときを伝達し、その結果ユーザーにこのシートをロールから除去する時期がわかるように、色によるシグナルが用いられてもよい。
【００２１】
接着剤、有益剤、剥離剤、障壁剤、及び／又は任意の追加成分が挙げられるが、これらに限定されない、基材に加えられるいかなる物質も、基材全体又はその一部分に適用されてもよいことに注意するべきである。それらは、連続、半連続、若しくは不連続模様、又はこれらの組み合わせで適用されてもよい。それらは不連続な位置において適用されてもよい。
【００２２】
Ａ．基材
本発明の基材は、ローラーと布地との間で有益剤を移動させるのに用いることができるいかなる材料であってもよい。好適な基材の非限定的な例には、セルロース系及び非セルロース系材料が挙げられ、それには紙、ポリマー及びプラスチックフィルム材料、不織布材料、発泡体、並びにこれらの組み合わせが挙げられるが、これらに限定されない。好適なポリマー及びプラスチックフィルム材料の非限定的な例には、ポリプロピレンのようなポリオレフィン、エチレン又はプロピレンのコポリマー、ポリ塩化ビニル及びポリ塩化ビニリデンのようなハロゲン化ポリマー、ポリエチレンテレフタレートのようなポリエステル、ポリウレタン、ポリビニルアセテート（polyvinyly acetate）、並びにビニルアセテートコポリマーが挙げられる。
【００２３】
本発明に関して用いられる基材は、典型的には約２５ｇ／ｍ２〜約１５０ｇ／ｍ２、又は約５０ｇ／ｍ２〜約１００ｇ／ｍ２の坪量、及び約０．０２５ｍｍ〜約０．１６０ｍｍ、又は約０．０６０ｍｍ〜約０．１３０ｍｍのキャリパーを有する。
【００２４】
理論に束縛されることを望まないが、各ラップが少なくとも１つの滑らかな側面を有する、基材の複数個のラップから構成されるローラーは、ラップ間の空気の通路の数を減らす場合があり、したがって有益剤がローラーの内部ラップから時期尚早に脱け出す傾向を減らすと考えられている。これは、例えば、香料のように容易に揮発する構成成分を含む場合がある有益剤を使用するときには、有益である可能性がある。有益剤（類）がローラーの内部ラップから時期尚早に脱け出すことを防ぐのに役立つ場合があるその他の非限定的な要因には、以下が挙げられる：低い湿気透過速度を有する傾向のある基材を使用することであり、その非限定的な例には、ポリプロピレンのようなオレフィン系フィルムが挙げられる；基材のラップ間のシートとシートの高度な接着をもたらすことであり、これは基材の辺に沿って滑らかな縁部を有する基材を使用することにより、及び／若しくはローラーのラップ製造プロセス中に大きな巻き張力を使用することにより達成されてもよい；並びに／又は有益剤を物理的に「固定化」する方法を提供することであり、この１つの非限定的な例は、基材の隣接するラップ間の空間を封止するように、基材の縁部に沿って、エンボス加工、コーティング、若しくは同様なものを介して、レリーフを提供することである。
【００２５】
基材ラップ間の改善した接触は、この時期尚早の脱出を防ぐのに役立ち、それによって、消費者が基材のその部分を使用する状態になったときに利益が利用可能であるように、利益を内部ラップの中に保つのに役立つ。基材の片面若しくは両面がエンボス加工されてもよいし、又はエンボス加工されなくてもよい。
【００２６】
基材の片面又は両面がコロナ処理されてもよい。コロナ処理は、電気アーク放電処理を指し、これは、そうでなければコーティング、接着剤、インクなどにより濡らす／コーティングすることが困難である場合がある基材の表面エネルギーを増大させるために、場合によっては用いられてもよい。例えば、コロナ処理は、疎水性フィルム、不織布、及び発泡体を処理してそれらの表面をより親水性にするために用いられてもよい。理論に束縛されることを望まないが、コロナ処理によりもたらされる、より高い表面エネルギーは、基材をより親水性にし、したがってより湿潤性にする傾向があると考えられている。典型的には、基材の表面エネルギーは、基材に適用される物質の表面張力より高いことが望ましい。さもなければ、基材の表面エネルギーが、基材に適用される物質の表面張力より低い場合には、基材への適用時に、物質は基材表面上に玉のようになって付く傾向があり、基材中への最小の濡れ／浸透／ウィッキングを結果としてもたらす。
【００２７】
本発明に関して用いるのに好適な基材の１つの非限定的な例は、ポリプロピレンホモポリマーから構成されるポリプロピレンフィルムである。好適なポリプロピレンフィルムの非限定的な例には、バージニア州リッチモンド（Richmond）のトレデガー・フィルム・プロダクツ（Tredegar Film Products）から入手可能なエクストレル（EXTREL）（登録商標）３６６及びエクストレル（EXTREL）（登録商標）３９３が挙げられる。好適なポリプロピレンフィルムはまた、オハイオ州シンシナティ（Cincinnati）のクロペイ・プラスチック・プロダクツ（Clopay Plastic Products）及びオハイオ州ハドソン（Hudson）のインターナショナル・グラフィック・フィルムズ・インコーポレイテッド（International Graphic Films Incorporated）からも入手可能である。
【００２８】
Ｂ．有益剤
本発明は、１以上の有益剤を含んでもよい。有益剤は、基材上に、約０．１ｇ／ｍ２〜約１５ｇ／ｍ２、又は約０．５ｇ／ｍ２〜約５ｇ／ｍ２、又は約１ｇ／ｍ２〜約３ｇ／ｍ２の量で存在してもよい。有益剤は個々の成分から構成されてもよいし、又は組成物中に共に含まれてもよいし、又はこれらの組み合わせであってもよい。有益剤は、外側に向いている基材の第一側面上及び／又は内側に向いている基材の第二側面上に存在してもよい。
【００２９】
有益剤は基材に、噴霧、印刷、コーティング、及びこれらの組み合わせが挙げられるが、これらに限定されない、いかなる数の方法により適用されてもよい。有益剤は基材に直接適用されてもよいし、又は他の構成成分とブレンドされ基材に加えられてもよく、その非限定的な例は、接着剤、障壁剤、及び／又は剥離剤である。有益剤は基材に、カプセル化物（encapsulates）及び／又は粒子の形態で適用されてもよい。用いられてもよいカプセル化物及び／又は粒子の非限定的な例には、デンプンのカプセル化物、シクロデキストリン、ゼオライト、及び／又はデンプン粒子中のゼオライトが挙げられる。有益剤は、外側に向いている基材の第一側面、内側に向いている基材の第二側面、又はこれらの組み合わせに適用されてもよい。それは、連続、半連続、若しくは不連続模様、又はこれらの組み合わせで適用されてもよい。更に、有益剤は基材中に存在してもよい。例えば、有益剤は基材製造プロセス中に基材と混合されることができ、及び／又は有益剤は基材中に染み込ませることができる。
【００３０】
有益剤を香料のような揮発性構成成分と共に使用するときには、有益剤が基材に、それが外側に向いている基材の第一側面上に存在するように適用されることが望ましい場合がある。基材の小さい領域（複数可）に局在する、より高濃度の有益剤を使用することも望ましい場合がある。理論に束縛されることを望まないが、これは製造から倉庫保管、使用へといったローラーのライフサイクルにわたって有益剤の安定性を改善するのに役立つことができると考えられる。更に、これはローラーから布地への有益剤の有効な移動を実現するのに役立つことができると考えられている。
【００３１】
有益剤はまた、ローラーの他の領域に適用されてもよい。例えば、１つの非限定的な実施形態では、有益剤はローラーのコアに適用されてもよい。例えば、香料がコアに適用されることができる。
【００３２】
香料
１つの非限定的な実施形態では、有益剤は約０．１％〜約１００％の香料組成物から構成されてもよい。香料を含む１以上の有益剤を使用するとき、香料からの香りがローラー上ではっきりとわかることが望ましい場合がある。更に、この香りが基材の次のラップを通じて減少せず、これらの次のラップを通じて一定のままであることが、一般に望ましい。香料の香りがローラーを囲む環境の中ではっきりとわかることが望ましい場合もある。更に、ローラーから布地への香料の移動後に、香料の香りが布地上ではっきりとわかること、及び移動後、かなりの時間の間、香りが続くことが望ましい。香料は、ブルーミング香料成分、伝達性／持続性香料成分、プロ香料（pro-perfume）成分、低い臭気検出閾値の香料成分、及びこれらの混合物から選択されてもよい。
【００３３】
香料組成物は、約２６０℃未満（１０１ｋＰａ（７６０ｍｍＨｇ）の通常の標準圧力で測定又は予測されるとき）の沸点を有し、本明細書において「ブルーミング」香料成分と呼ばれる、１以上の香料成分を含んでもよい。香料組成物はまた、約２６０℃以上（１０１ｋＰａ（７６０ｍｍＨｇ）の通常の標準圧力で測定又は予測されるとき）の沸点を有し、本明細書において「伝達性」又は「持続性」香料成分と呼ばれる、１以上の香料成分を含んでもよく、その際、用語「伝達性」及び「持続性」は本明細書において同義的に用いられる。理論に束縛されることを望まないが、伝達性／持続性香料成分のより高い沸点及びより低い揮発度を考えると、これらの成分は、より低い沸点の香料成分ほど容易には揮発しないため、これらの成分は、ローラー上、ローラー付近、ローラーの布地への接触後の布地上、及び／又はローラーとの接触後の布地付近での香りの長い寿命をもたらすのに役立つと考えられている。
【００３４】
香料組成物は、少なくとも約２５重量％のブルーミング香料成分、又は少なくとも約４５重量％のブルーミング香料成分、又は少なくとも約６５重量％のブルーミング香料成分、又は少なくとも約７５重量％のブルーミング香料成分、又は少なくとも約９０重量％のブルーミング香料成分から構成されてもよい。香料組成物は、少なくとも約２５重量％の持続性香料成分、又は少なくとも約４５重量％の持続性香料成分、又は少なくとも約６０重量％の持続性香料成分、又は少なくとも約７５重量％の持続性香料成分から構成されてもよい。
【００３５】
ブルーミング香料
ブルーミング香料成分は、それらのより低い沸点を考えると、より高い沸点を有する傾向がある持続性香料より揮発性である傾向がある。用語「香料」は、本明細書では、高揮発性香料成分（即ち、ブルーミング香料成分）、伝達性／持続性香料成分、及びこれらの混合物を含むが、これらに限定されない、最も広い意味で用いられる。
【００３６】
多くの香料成分の沸点は、例えば「香料及び風味料薬品（Perfume and Flavor Chemicals）（アロマケミカルズ（Aroma Chemicals））」、Ｓ．アークタンダー（S. Arctander）、著者により出版、１９６９年、に報告されている。その他の沸点の値は、バイルスタイン・ハンドブック（Beilstein Handbook）、ランゲの化学ハンドブック（Lange’s Handbook of Chemistry）、並びに、化学及び物理学のＣＲＣハンドブック（CRC Handbook of Chemistry and Physics）のような様々な化学ハンドブック及びデータベースから入手することができる。沸点が、異なる圧力で、普通は標準圧力（１０１ｋＰａ（７６０ｍｍＨｇ））より低い圧力で与えられるときには、標準圧力での沸点は、沸点−圧力の計算図表、例えば「化学者の手引き（The Chemist’s Companion）」、Ａ．Ｊ．ゴードン（A. J. Gordon）及びＲ．Ａ．フォード（R. A. Ford）、ジョン・ワイリー・アンド・サンズ・パブリッシャーズ（John Wiley & Sons Publishers）、１９７２年、３０〜３６ページに記載されるようなものを用いることにより、およそ推定することができる。適用できる場合、沸点の値はまた、「ピラン及びピロールの標準沸点のコンピュータを使った予測（Computer-Assisted Prediction of Normal Boiling Points of Pyrans and Pyrroles）」、Ｄ．Ｔ．スタントン（D. T. Stanton）ら、化学情報及びコンピュータ科学誌（J. Chem. Inf. Comput. Sci.）、３２（１９９２年）、３０６〜３１６ページ、「フラン、テトラヒドロフラン、及びチオフェンの標準沸点のコンピュータを使った予測（Computer-Assisted Prediction of Normal Boiling Points of Furans, Tetrahydrofurans, and Thiophenes）」、Ｄ．Ｔ．スタントンら、化学情報及びコンピュータ科学誌（J. Chem. Inf. Comput. Sci.）、３１（１９９２年）、３
０１〜３１０ページ、及びその中に引用される参考文献、並びに「分子構造からの物理的性質の予測（Predicting Physical Properties from Molecular Structure）」、Ｒ．ムルガン（R. Murugan）ら、ケムテック（Chemtech）、１９９４年６月、１７〜２３ページに記載されるもののような分子構造データに基づいて、コンピュータプログラムにより計算することもできる。
【００３７】
本発明において、個々に又は混合物としてのいずれかにおいて用いられてもよいブルーミング香料成分の非限定的な例（及び１０１ｋＰａ（７６０ｍｍＨｇ）の標準圧力で測定されるときの℃（摂氏）による、それらのおよその沸点）が表Ｉに示される。
【表１−１】
2008509288.tif 000003
【表１−２】
2008509288.tif 000004
【表１−３】
2008509288.tif 000005
１つの非限定的な実施形態では、ブルーミング香料組成物は、少なくとも約３の異なるブルーミング香料成分、又は少なくとも約４の異なるブルーミング香料成分、又は少なくとも約５の異なるブルーミング香料成分、又は少なくとも約６の異なるブルーミング香料成分を含んでもよい。本発明の香料組成物が、次の成分：リナロールアセテート、イソボルニルアセテート、及びテルピニルアセテートの各々を１５％以下含むことが望ましい場合がある。
【００３８】
持続性／伝達性香料
本発明において、個々に又は混合物としてのいずれかにおいて用いられてもよい持続性香料成分の非限定的な例（及び１０１ｋＰａ（７６０ｍｍのＨｇ）で測定されるときの℃（摂氏）による、それらのおよその沸点）が表ＩＩに示される。
【表２−１】
2008509288.tif 000006
【表２−２】
2008509288.tif 000007
【表２−３】
2008509288.tif 000008
【表２−４】
2008509288.tif 000009
本発明に有用な、伝達性、持続性香料成分の追加の非限定的な例には、アセトアルデヒドベンジルメトキシエチルアセタール、アセトアルデヒドブチルフェニルエチルアセタール、アセトアルデヒドジヘキシルアセタール、アセトアルデヒドジフェニルエチルアセタール、アセトアルデヒドエチルゲラニルアセタール、アセトアルデヒドエチルイソオイゲニルアセタール、アセトアルデヒドエチルネリルアセタール、アセトアルデヒドフェニルエチルプロピルアセタール、アリルα−イオノン、アリルアントラニレート、アリルシンナメート、アリルシクロヘキサンブチレート、アリルシクロヘキサンヘキサノエート、アリルシクロへキサンバレレート、アリルデカノエート、α，α−ジメチル−ｐ−エチルフェニルプロパナール、α，α−ジメチル−ｐ−エチルフェニルプロパナール、α，β，２，２，３−ペンタメチルシクロペント（Pentamethylcyclopent）−３−エン−１ブタノール−１、α−アミルシンナムアルデヒド、α−アミルシンナムアルデヒドジエチルアセタール、α−アミルシンナムアルデヒドジメチルアセタール、α−アミルシンナミルアセテート、α−アミルシンナミルアルコール、α−アミルシンナミルホーメート、α−アミルシンナミルイソバレレート、α−ビサボロール、α−ブチルシンナムアルデヒド、α−カンフォレン（alpha-Camphorene）、α−セドレンエポキシド、α−クベベン、α−エチルベンジルブチレート、α−ファルネセン、α−フル酸，オクチルエステル、α−ヘキシルシンナムアルデヒド、α−イオノール、α−イオノン、α−イオニルアセテート、α−イロン、α−イソメチルイオノン、α−メチルシンナミックアルコール、α−メチルイオノン、α−メチルフェネチルブチレート、α−ナフチルブチレート、α−プロピルフェネチルアルコール、α−サンタロール、α−テルピニルアントラニレート、α−テルピニルイソブチレート、α−ベチボン、アミノ酢酸、アミルシンナミックアルデヒド，ジゲラニルアセタール、アミルシンナミックアルデヒド，ジリナリル（dilinallyl）アセタール、アミルシンナミックアルデヒド／メチルアントラニレート（シッフ塩基）、アミルイソオイゲニルエーテル、アミルラウレート、アニスアルデヒドジエチルアセタール、アニシルブチレート、アニシルフェニルアセテート、アニシルプロピオネート、アニシルプロパナール、アピオール、アポシニン、アロマイオノン分留／ソーダ、アロマイオノン分留／ソーダ、アサロンアルデヒド（Asaronaldehyde）、アサロン、アスパラギン、アスパルテーム、アゼライン酸、アゾジカーボンアミド、ベンズアルデヒドグリセリルアセタール、ベンゾグアナミン、ベンゾヒドロール、ベンゾイン、β−イロン、β−ナフチルアントラニレート、β−ナフチルエチルエーテル、β−ナフチルイソブチルエーテル、β−ナフチルメチルエーテル、β−サンタロール、β−シネンサール、二環式エチルエステル、ビス（２，５−ジメチル−３−フリル）ジスルフィド、ビス（２−エチルヘキシル）アジパート、ビス（２−エチルヘキシル）セバケート、ビス（２−メチル−３−フリル）ジスルフィド、ビサボレン、ボルナン−３，１−シクロペンタノン−２、ボルニルブチレート、ボルニルイソブチレート、ボルニルイソバレレート、ボルニルバレレート��ブチル１０−ウンデセノエート、ブチル２−デセノエート、ブチルアントラニレート、ブチルシンナメート、ブチルデカノエート、ブチルヘキサデカノエート、ブチルラウレート、ブチルミリステート、ブチルオレエート、ブチルフェニルアセテート、ブチルステアレート、ブチル化ヒドロキシアニソール、ブチル化ヒドロキシトルエン、ブチルパラベン、Ｃ１２Ｅ４ＯＨ、カフェイン、カラレンエポキシド（Calarene epoxide）、カプリン酸、カプロレイン酸（Caproleic acid）、カプサイシン、カルバクロール，アセテート、カルビルプロピオネート、カリオフィレンアセテート、カリオフィレンアルコール、カリオフィレンアルコールアセテート、カリオフィレンオキシド、カテコールメチルヘキシルケタール、セドレノール、セドレノン（Cedrenone）、セドレニルアセテート（Cedrenyl acetate）、セドロール、セドロールメチルエーテル、セドロキシド（Cedroxyde）、セドリルアセテート、セドリルホーメート、セタン、セチルアルコール、カルコン、シンナムアルデヒドエチレングリコールアセタール、ケイ皮酸、ケイ皮アルデヒドブチレングリコールアセタール、シンナモニトリル、シンナミルアセテート、シンナミルアントラニレート、シトロネリルベンゾエート、シトロネリルブチレート、シトロネリルカプロエート、シトロネリルクロトネート、シトロネリルエチルオキサラート、シトロネリルイソブチレート、シトロネリルイソバレレート、シトロネリルフェニルアセテート、シトロネリルチグレート、シトロネリルバレレート、シトロネリルオキシアセトアルデヒド、シベトン、コニフェリルアルコール、クマリン、クルクミン、シクラメンアルコール、シクラメンアルデヒド、環状エチレンドデカンジオエート、シクロドデカノール、シクロドデシルアセテート、シクロドデシルホーメート、シクロドデシルメチルエーテル、シクロヘキサデス−４−エノン（Cyclohexadec-4-enone）、シクロヘキサン、１−（２−フェニルエトキシ）−シクロヘキサンプロピオン酸、シクロヘキサノール，（５，５，６−トリメチル−２−ノルボルニル）、シクロヘキシル，アントラニレート、シクロヘキシルシンナメート、シクロヘキシルフェニルアセテート、シクロヘキシルサリチレート、シクロペント−２−エン−１−酢酸（Cyclopent-2-ene-1-acetic acid），シクロヘキシル及び２−オクチルエステル類、シクロペンタデカノン、シクロテンペンチルエーテル、ｄ，ｌ−イソロイシン、ｄ−γ−トコフェロール、デカメチレングリコール、デカナールジエチルアセタール、デシルアントラニレート、デシルブチレート、デシルプロピオネート、デヒドロ酢酸、デヒドロジヒドロイオノン、δ−２−デセン酸、δ−ドデカラクトン、δ−テトラデカラクトン、δ−トコフェロール、δ−トリデカラクトン、ジ−（ブタン−３−オン−１−イル）スルフィド、ジベンゾスベレノン（Dibenzosuberenone）、ジベンジルジスルフィド、ジベンジルエーテル、ジベンジルケトン、ジベンジルアミン、ジブチルマラート、ジブチルフタレート、ジブチルセバケート、ジブチルスクシネート、ジシクロヘキシルジスルフィド、ジエチルアゼレート、ジエチルフタレート、ジエチルセバケート、ジエチルスベレート、ジエチルタータラート、ジヘキシルフマレート、ジヒドロゲ���ニルリナロール、ジヒドロ−α−イオノン、ジヒドロ−α−テルピニルアセテート、ジヒドロ−β−イオノール、ジヒドロ−β−イオノン、ジヒドロメチル−α−イオノン、ジヒドロヌートカトン、ジ−イソアミルチオマラート、ジイソブチルアジパート、ジメチルアゼレート、ジメチルベンジルカルビニルブチレート、エポキシグアイエン、エリソルビン酸、エタノン−１，４−ブトキシ−２，２，６，６−テトラメチル−３−シクロヘキセニル−１、エタノン−１，４−メトキシ−２，２，６，６−テトラメチル−３−シクロヘキセニル−１、エチル（ｐ−トリロキシ）アセテート、エチル２−アセチル−３−フェニルプロピオネート、エチル２−メチル−６−ペンチル−４−オキソシクロヘキス（oxocyclohex）−２−エン−カルボキシレート、エチル２−ｔ−ブチルシクロヘキシルカーボネート、エチル３−（フルフリルチオ）プロピオネート、エチル３，５，５−トリメチルシクロヘキシルグリシデート、エチル３−ヒドロキシ−３−フェニルプロピオネート、エチル３−フェニルグリシデート、エチル４−ヒドロキシベンゾエート、エチル４−フェニルブチレート、エチルアコニテート（混合エステル類）、エチルアントラニレート／ジメチルシクロヘキス（dimethylcyclohex）−３−エン−１−カルバルデヒドシッフ塩基、エチルベンゾイルアセテート、エチルシンナメート、エチルデシンカーボネート、エチルヘプタダカノエート、エチルラウレート、エチルリノレエート、エチルリノレネート、エチルメチルフェニルグリシデート、エチルメチル−ｐ−トリグリシデート、エチルミリステート、エチルノルボルニルシクロヘキサノール、エチルオレエート、エチルパルミテート、エチルペンタデカノエート、エチルｐ−トリグリシデート、ゲラニルバレレート、ゲラニルアセトン、ゲルマクロン、グルコースペンタアセテート、グリセリントリデカノエート、グリセロールトリオクタノエート、グリセリル５−ヒドロキシデカノエート、グリセリルジステアレート、グリセリルモノ／ジオレエート、グリセリルモノオレエート、グリセリルモノステアレート、グリセリルトリベンゾエート、グリセリルトリブタノアート、グリセリルトリプロパノアート、グアイアシルフェニルアセテート、グアイアズレン、グアイエン、グアイオール、グアイルアセテート、ヘリオトロピン、ヘリオトロピンジエチルアセタール、ヘリオトロピンジメチルアセタール、ヘリオトロピルアセテート（Heliotropyl acetate）、ヘプタナールグリセリルアセタール（１，２及び１，３アセタールの混合）、ヘプチルカプロエート、ヘプチルシンナメート、ヘプチルヘプタノエート、ヘプチルオクタノエート、ヘプチルフェニルアセテート、ヘプチルプロピオネート、ヘキサデカ−１，４−ラクトン、ヘキサデカラクトン、ヘキサデカノリド、ヘキサデシルアセテート、ヘキサヒドロ−１，１，５，５−テトラメチル−２Ｈ−２，４ａ−メタノフタレン（methanophtalen）−８（５Ｈ）−オン（異性体）、ヘキサヒドロ−３，６，８，８−テトラメチル−１Ｈ−３ａ，７−メタノアズレン−５（４Ｈ）−オン、ヘキサヒドロ−４，７−メタノインデン５（６）イルイソブチレート、ヘキサヒドロ−４，７−メタノインデン−５（６）イルピバレート、ヘキサヒドロ−４，７−メタノインデン−５−カルボキシアルデヒドジエチルアセタール、ヘキシルベンゾエート、ヘキシルドデカノエート、イソアミルウンデシレネート、イソボルニルイソバレレート、イソブチルアントラニレート、イソブチルベンジルカルビノール、イソブチルシンナメート、イソブチルイオノン、イソブチルＮ−メチルアントラニレート、イソブチルキノリン、イソブチルサリチレート、イソオイゲノール、イソオイゲニルアセテート、イソオイゲニルベンジルエーテル、イソオイゲニルエチルエーテル、イソオイゲニルホーメート、イソオイゲニルフェニルアセテート、イソヘキセニルシクロヘキセニルカルボキシアルデヒド、イソロンギフォラノン（Isolongifolanone）（及びエピ）、イソロンギフォレンケトン、イソ−メチルテトラヒドロイオノール、イソ−メチルテトラヒドロイオニルアセテート、イソメチル−β−イオノン、イソノニルアルデヒド／メチルアントラニレートシッフ塩基、イソペンチルサリチレート、イソフィトール、イソプロピル１０−ウンデセノエート、イソプロピルシンナメート、イソプロピルミリステレート、イソプロピルパルミテート、イソトリデシルアセテート、イソトリデシルアルコール、ラウリン酸、ラウロニトリル、ラウリルアセテート、ラウリルアルコール、リーフアルコール（ジシス−３ヘキセニル）アセタール、リナリルアントラニレート、リナリルベンゾエート、リナリルシンナメート、リナリルヘキサノエート、メチル２−ニトロベンゾエート、メチル２−ウンデシノエート、メチル３−メチルレゾルシレート（Methyl 3-methylresorcylate）、メチル４−メトキシサリチレート、メチルアビエテート、メチルα−イオノングリシデート、メチルα−イオニルアセテート、メチルアントラニレート／２−メチル−３−（４−メトキシフェニル）プロパナールシッフ塩基、メチルアントラニレート／２−メチルペンタナールシッフ塩基、メチルアントラニレート／α−アミルシンナミックアルデヒドシッフ塩基、メチルアントラニレート／アニスアルデヒドシッフ塩基、メチルアントラニレート／シトラールシッフ塩基、メチルアントラニレート／シトロネラールシッフ塩基、メチルアントラニレート／シクラメンアルデヒドシッフ塩基、メチルアントラニレート／デカナールシ
ッフ塩基、メチルアントラニレート／ヒドロキシシトロネラールシッフ塩基、メチルアントラニレート／イソ−ノニルアルデヒドシッフ塩基、メチルアントラニレート／リリアールシッフ塩基、メチルアントラニレート／ノナナールシッフ塩基、メチルアントラニレート／オクタナールシッフ塩基、メチルアントラニレート／フェニルアセトアルデヒドシッフ塩基、メチルβ−イオノール、メチルβ−イオノール、メチルβ−イオニルアセテート、メチルβ−イオニルアセテート、メチルβ−ナフチルケトン、メチルセドリルケトン、メチルジヒドロジャスモネート、メチルエピジャスモネート、メチルヘキサデカノエート、メチルジャスモネート、メチルラウレート、メチルラベンダーケトン、メチルリノレエート、メチルリノレネート、メチルミリステート、メチルＮ−｛４（４−ＨＯ−４−メチルペンチル）−３−シクロヘキセン−１−イル｝メチレンアントラニレート、メチルＮ−ホルミルアントラニレート、メチルオレエート、メチルｐ−ｔ−ブチルフェニルアセテート、メチルステアレート、メチルトリデカノエート、メチルウンデシルケトン、メチルバニレート、メチル−β−イオノン、メチル−δ−イオノン、メチルイオノン（異性体の混合物）、メチルテトラデシルケトン、トリシクロデカンジメタノール、トナリド、リリアール、ジプロピレングリコール、グルタミン酸一ナトリウム、モスケン（Moskene）、ムスコン、ムスクアンブレット、ムスクケトン、ムスクチベチン（Musk tibetine）、ムスクキシロール、ミリストアルデヒド、ミリスチン酸、ミリスチルニトリル、Ｎ−２，４−ジメチル−３−シクロヘキセンメチレンメチルアントラニレート、Ｎ−アセチルメチルアントラニレート、Ｎ−アセチルインドール、ナフトフランドデカヒドロ−３ａ，６，６，９ａ−テトラメチル［３ａＲ−（３ａα，５ａβ，９ａα，９ｂβ）］、ｎ−ドコサン、ネロリドール、Ｎ−エチル−２−イソプロピル−５−メチルシクロヘキサンカルボキサミド、ｎ−ヘキシルエチルアセトアセテート、ｎ−ヘキシルサリチレート、Ｎ−メチル−Ｎ−フェニル−２−メチルブチルアミド、ノナノイル４−ヒドロキシ−３−メトキシベンジルアミド、ノニルイソバレレート、ノニルオクタノエート、ヌートケトン（Nootketone）、ノピルアセテート、ｎ−ペンチルベンゾエート、ｎ−ペンチルシンナメート、ｎ−ペンチルデカノエート、ｎ−ペンチルオクタノエート、ｎ−ペンチルフェニルアセテート、ｎ−ペンチルサリチレート、オクタヒドロ−４，７−メタノインダニリデンブタナール（Octahydro-4,7-methanoindanilydenebutanal）、メトキシシンナムアルデヒド、ｏ−フェニルアニソール、ｏ−トリルサリチレート、オキサシクロヘプタデス−１０−エン−２−オン（Oxacycloheptadec-10-en-2-one）、オキシベンゾン、パルミチン酸、パルミトレイン酸、ｐ−アニス酸、パチュリアルコール、ｐ−クレジルベンゾエート、ｐ−クレジルカプリレート、ｐ−クレジルサリチレート、ペラルゴン酸，ブチルエステル、ペンタデカルデヒド（Pentadecaldehyde）、ペンタデカノリド、ペンタン二酸、フェネチル２−フロエート、フェネチル２−メチルブチレート、フェネチルアントラニレート、フェネチルベンゾエート、フェネチルブチレート、フェネチルシンナメート、フ��ネチルクロトネート、フェネチルヘキサノエート、フェニルアセトアルデヒド２，３−ブチレングリコールアセタール、フェニルアセトアルデヒドジベンジルアセタール、フェニルアセトアルデヒドジゲラニルアセタール、フェニルアセトアルデヒドジイソブチルアセタール、フェニルアセトアルデヒドグリセリルアセタール、フェニルアセトアルデヒドヘキシレングリコールアセタール、フェニル酢酸、フェニルエチルメチルエチルカルビニルアセテート、フタル酸、ｐ−ヒドロキノン、ｐ−ヒドロキシベンジルアルコール、フィトール、フィチルアセテート、ピメリン酸、ピペリン、ピペロニルアセトン、ピペロニルアルコール、ピペロニルホーメート、ピペロニルイソブチレート、ピペロニルプロピオネート、ｐ−メンタ−８−チオール−３−オン、ｐ−メンタンジオール−３，８（混合物で）、ｐ−メトキシ−α−メチルシンナムアルデヒド、ｐ−メトキシベンザルアセトン、ｐ−メトキシシンナムアルデヒド、プレニルベンゾエート、プレニルサリチレート、プロパン酸，２−アミノ−３−メルカプト−、（Ｒ）−プロペニルグエトール、プロピルアントラニレート、プロピルシンナメート、プロピルガレート、プロピルラウレート、プロピルサリチレート、プロピルトランス−２，シス−４−デカジエノエート、プロピレングリコールジベンゾエート、プロピレングリコールモノラウレート、プロピレングリコールステアレート、プロピルパラベン、プロトカテキュアルデヒド、ｐ−サリチル酸、プソイドメチルイオノン、プソイドイオノン、ｐ−ｔ−ブチルアセトフェノン、ｐ−ｔ−ブチル−α−メチルジヒドロシンナミックアルデヒド、ｐ−トリルフェニルアセテート、キナ酸、レゾルシノール、ロジニルブチレート、ロジニルイソブチレート、スクラレオール、スクラレオリド、セリン、シネンサール、スカトール、２−（４−メトキシフェノキシ）プロパン酸ナトリウム、ソルビトール、スピロ（２，４−ジチア−１−メチル−８−オキサビシクロ［３．３．０］オクタン−３，３’）スクアラン、スクアレン、ステアリン酸、ステアリン酸，イソペンチルエステル、ステアリルアルコール、スベロニトリル、コハク酸、スクロースオクタアセテート、シリングアルデヒド、酒石酸、Ｄ−（−）−タウリン、ＴＢＨＱ、テルピン、テルピニルブチレート、テルピニルシンナメート、テルピニルイソバレレート、テトラデシルアルコール、トルアルデヒドグリセリルアセタール、トランス−２−ドデセン−１−オール、トランス−２−ドデセニルアセテート、トランス−２−ヘキセニルフェニルアセテート、トランス−２−ヘキセニルサリチレート、トランス−２−テトラデセナール、トランス−２−トリデセン−１−オール、トランス−２−ウンデセニルアセテート、トランス−ケイ皮酸、トランス−デカヒドロ−２−ナフチルイソブチレート、トランス−ネロリドール、トリブチルアセチルシトレート、トリブチルシトレート、トリクロロメチルフェニルカルビニルアセテート、トリシクロデカンジメタノール、トリシクロペンタジエン、トリデカナール、トリデシルアルコール、トリエタノールアミン、トリエチルシトレート、トリエチレングリコール、トリメチルアミンオキシド、トリプラール（Triplal）／メチルアントラニレートシッフ塩基、トリチオアセトン、トロメタミン、チラミン、ウンベリフェロン、ウンデス−１０−エン（Undec-10-ene），１，１−ジ（３，７−ジメチルオクト−６−エノキシ）、ウンデカナールジエチルアセタール、ウンデカン酸、ウンデシルアセテート、バニリンプロピレングリコールアセタール、バニリルアルコール、バニリルブチルエーテル、バニリリデンアセトン、ベラトルム酸、ベチバー（Vetivert）アセテート、ベチベリルアセテート、ジンゲロン、及びこれらの混合物が挙げられる。
【００３９】
本発明の持続性香料組成物は、少なくとも約３の異なる持続性香料成分、又は少なくとも約４の異なる持続性香料成分、又は少なくとも約５の異なる伝達性、持続性香料成分を含有してもよい。
【００４０】
希釈剤及び増量剤
香料技術では、臭いのない又はきわめてかすかな臭いを有する幾つかの物質が希釈剤又は増量剤として用いられる。これらの物質の非限定的な例は、ジプロピレングリコール、ジエチルフタレート、トリエチルシトレート、イソプロピルミリステート、及びベンジルベンゾエートである。これらの物質は、例えば、幾つかのその他の香料成分を希釈する及び安定化するために用いられる。本発明の目的上、これらの物質は、ブルーミング香料成分又は持続性香料成分とは見なされない。
【００４１】
プロ香料
プロ香料は、香料組成物の一部として任意に含まれてもよい。用語「プロ香料」は、プロ芳香剤、プロ香料、プロ・アコード、及びこれらの混合物を含むとして本明細書では定義される。こうしたプロ香料は、アセタールプロ香料、ケタールプロ香料、エステルプロ香料（例えば、ジゲラニルスクシネート）、加水分解性無機−有機プロ香料、及びこれらの混合物を含んでもよい。これらのプロ香料は、例えば、単純な加水分解の結果として香料成分を放出する又は香料成分に変換する一般に不揮発性の物質であるか、又はｐＨの変化により誘発されるプロ香料（例えば、ｐＨ降下により誘発される）であってもよく、又は酵素的に放出可能なプロ香料であってもよく、又は光誘発型のプロ香料であってもよい。プロ香料は、選択されたプロ香料に応じて様々な放出速度を示すことができる。本発明の組成物に用いるのに好適なプロ香料は、米国特許第５，３７８，４６８号（サフィス（Suffis）ら、１９９５年１月３日発行）、米国特許第５，６２６，８５２号（サフィスら、１９９７年５月６日発行）、米国特許第５，７１０，１２２号（シヴィク（Sivik）ら、１９９８年１月２０日発行）、米国特許第５，７１６，９１８号（シヴィクら、１９９８年２月１０日発行）、米国特許第５，７２１，２０２号（ウェイト（Waite）ら、１９９８年２月２４日発行）、米国特許第５，７４４，４３５号（ハートマン（Hartman）ら、１９９８年４月２５日発行）、米国特許第５，７５６，８２７号（シヴィク、１９９８年５月２６日発行）、米国特許第５，８３０，８３５号（セバーンズ（Severns）ら、１９９８年１１月３日発行）、米国特許第５，９１９，７５２号（モレリ（Morelli）ら、１９９９年７月６日発行）、ＰＣＴ国際公開特許ＷＯ００／０２９８６（ブッシュ（Busch）ら、２０００年１月２０日公開）、及びＰＣＴ国際公開特許ＷＯ０１／０４２４８（ブッシュら、２００１年１月１８日公開）に記載されている。
【００４２】
香料マイクロカプセル
香料組成物のすべて又は幾らかの部分は、香料担体及びカプセル化された香料組成物を含む香料マイクロカプセルの形態で提供されてもよい。香料マイクロカプセルは、組成物中の生のままの、遊離香料を部分的に又は完全に置き換えることができる香料の潜在的供給源を提供する。理論に束縛されることを望まないが、生のままの香料の量のこうした減少は、処理後の布地の清新さが長続きするという利益を改善するのに役立つと考えられている。
【００４３】
細胞マトリクスのマイクロカプセル
香料組成物のすべて又は幾らかの部分は、香料細胞マトリクスのマイクロカプセルの形態で提供されてもよい。香料細胞マトリクスの香料マイクロカプセル、例えば水分／摩擦活性化、及び／又は水溶性であるものは、粒子中の細胞の中に安定して保持される香料を含有する固体粒子である。香料細胞マトリクスのマイクロカプセルについての詳細は、ＰＣＴ国際公開特許ＷＯ０１／８５８８８（２００１年１１月１５日公開）及び米国特許第３，９７１，８５２号（ベナー（Benner）ら、１９７６年７月２７日発行）に開示されている。１つの好適な水分活性化香料細胞マトリクスのマイクロカプセルは、デンプンを細胞マトリクス物質として用いる香料デンプンマイクロカプセルである。水分活性化香料細胞マトリクスのマイクロカプセルは、典型的には約０．５ミクロン〜約３００ミクロン、又は約１ミクロン〜約２００ミクロン、又は約２ミクロン〜約１００ミクロンの大きさを有する。細胞マトリクスのマイクロカプセル中への香料の装填は、マイクロカプセルの約２０重量％〜約７０重量％、又は約４０重量％〜約６０重量％の範囲であってもよい。所望の濃度の香料を送達するために、マイクロカプセルの香料の装填に応じて、香料細胞マトリクスのマイクロカプセルの十分な量が用いられるべきである。約５０％の香料の装填を有するマイクロカプセルについて、マトリクスのマイクロカプセルの典型的濃度は、全有益剤の約０．１重量％〜約１５重量％、又は約０．５重量％〜約１０重量％、又は約０．８重量％〜約８重量％、及び又は約１重量％〜約６重量％である。
【００４４】
多孔質担体のマイクロカプセル
香料組成物のすべて又は幾らかの部分はまた、本発明のローラー中の遊離香料の量を減らすために、ゼオライト又は粘土のような多孔質担体の上に及び／又は中に吸収されることによりカプセル化されて、香料多孔質担体のマイクロカプセルを形成することができる。香料がゼオライトの上に吸着されるとき、カプセル化された香料組成物を形成する香料成分は、米国特許第５，９５５，４１９号（バーケット・ジュニア（Barket, Jr.）ら、１９９９年９月２１日発行）の中に提供される記載に従って選択されることができる。ゼオライト（脱水された／活性化されたゼオライトが挙げられるが、これらに限定されない）又は粘土のような多孔質の鉱物担体物質と共に用いるのに好適な香料成分は、一般に、多孔質の鉱物担体物質中への組み込み時に分解する、高濃度の不安定な香料成分を含まないものである傾向がある。こうした香料の非限定的な例は、米国特許出願公開２００３／００１３６３２Ａ１（サントス（Santos）らの名前で２００３年１月１６日公開）に示されている。
【００４５】
Ｃ．接着剤
本発明の基材は、接着剤を含んでもよい。典型的には、接着剤は外側に向いている基材の第一側面上に、布地の表面からの汚染物質の除去をもたらすために存在する。含まれている場合、接着剤は、最も一般には、外側に向いている基材の第一側面に適用される。接着剤は、基材上に、約５ｇ／１ｍ２の基材〜約５０ｇ／１ｍ２の基材、又は約１０ｇ／ｍ２〜約３５ｇ／ｍ２、又は約１５ｇ／ｍ２〜約３０ｇ／ｍ２の量で存在してもよい。
【００４６】
本発明に関して用いられてもよい接着剤の非限定的な一覧には、ポリアクリレート；ポリビニルエーテル；天然ゴム、ポリイソプレン、及びポリイソブチレンが挙げられるが、これらに限定されないジエン含有ゴム；ポリクロロプレン（polychoroprene）、ブチルゴム、ブタジエン−アクリロニトリルポリマー；熱可塑性エラストマー；スチレン−イソプレン及びスチレン−イソプレン−スチレンブロックコポリマー、エチレン−プロピレン−ジエンポリマー、及びスチレン−ブタジエンポリマーが挙げられるが、これらに限定されないブロックコポリマー；ポリ−α−オレフィン；非晶質ポリオレフィン；シリコーン；エチレンビニルアセテートのようなエチレン含有コポリマー；エチルアクリレート、及びエチルメタクリレート；ポリウレタン；ポリアミドエポキシド；ポリビニルピロリドン及びビニルピロリドン（vinhylpyrrolidone）コポリマー；ポリエステル；並びにこれらの混合物が挙げられる。接着剤は、感圧接着剤であってもよい。好適な接着剤の１つの非限定的な例は、ＡＳＴＭ  Ｄ−６１９５に従って約２５ｇ／平方メートルの被覆重量においてステンレス鋼上で約７１ｇ／１ｍｍの幅（４ポンド／１インチの幅）のループタックを有するものである。１つの好適なホットメルト接着剤は、ＨＭ−１９０２Ｘとして販売され、ミネソタ州セントポール（St. Paul）のＨ．Ｂ．フラー（H. B. Fuller）から市販されている。
【００４７】
接着剤は基材に多数の異なる形態で適用されてもよく、その非限定的な例には、ホットメルト、溶媒コーティングとして、及び／又はラテックス製剤中が挙げられる。接着剤は基材に、当業者によく知られている多数の方法で適用されてもよく、それには噴霧、印刷、コーティング、エンボス加工、及びこれらの組み合わせが挙げられるが、これらに限定されない。接着剤はまた、基材の製造プロセス中に、基材と共にブレンドされてもよい。更に、接着剤は基材の中に染み込ませることができる。接着剤は基材に直接適用されてもよい。それは、他の構成成分とは別個に基材に適用されることもできるし、又は他の構成成分と共にブレンドされて適用されてもよい。接着剤は基材全体に又はその一部分に適用されてもよい。それは不連続な位置において適用されてもよい。それは、連続、半連続、若しくは不連続模様、又はこれらの組み合わせで適用されてもよい。
【００４８】
Ｄ．剥離剤
１以上の剥離剤が、本発明のローラーに関して含まれてもよい。剥離剤は、外側に向いている基材の第一側面上に、及び／又は内側に向いている基材の第二側面上に、個々の基材ラップのローラーからの除去を促進するため、並びに製造プロセス中に基材の巻き戻し及び巻き上げを促進するために存在してもよい。含まれている場合、剥離剤は最も一般には、内側に向いている基材の第一側面に適用される。剥離剤は、基材上に、約０．１ｇ／ｍ２〜約５０ｇ／ｍ２、約０．５ｇ／ｍ２〜約１０ｇ／ｍ２、又は約１ｇ／ｍ２〜約５ｇ／ｍ２の量で存在してもよい。
【００４９】
剥離剤は基材に、当業者によく知られている多数の方法で適用されてもよく、それには噴霧、印刷、コーティング、エンボス加工、及びこれらの組み合わせが挙げられるが、これらに限定されない。剥離剤はまた、基材の製造プロセス中に、基材と共にブレンドされてもよい。更に、剥離剤は基材の中に染み込ませることができる。剥離剤は、基材に直接適用されてもよい。それは、他の構成成分とは別個に基材に適用されることもできるし、又は他の構成成分と共にブレンドされて適用されてもよい。剥離剤は、基材全体に又はその一部分に適用されてもよい。それは不連続な位置において適用されてもよい。それは、連続、半連続、若しくは不連続模様、又はこれらの組み合わせで適用されてもよい。
【００５０】
好適な剥離剤の非限定的な例には、シリコーン；フルオロカーボンが挙げられるが、これに限定されないフッ素性化学物質；ポリカーバメート；及びこれらの組み合わせが挙げられる。１つの好適な剥離剤は、メイゾ（Mayzo）ＲＡ−９５Ｈとして販売されるポリカーバメートであり、ジョージア州ノルクロス（Norcross）のメイゾ・ケミカル（Mayzo Chemical）から入手可能である。好適な熱硬化剥離剤にはまた、シリコーン剥離コーティングのシル−オフ（SYL-OFF）（登録商標）シリーズが挙げられ、ミシガン州ミッドランド（Midland）のダウ・コーニング（Dow Corning）から市販されている。
【００５１】
１つの非限定的な実施形態では、剥離剤は１を超える構成成分から構成されてもよい。例えば、１つの非限定的な例では、剥離剤は、以下の表に要約されるように、剥離し易いポリマー（その非限定的な例は、シル−オフ（SYL-OFF）（登録商標）９１１０である）、剥離し難い添加物（その非限定的な例は、シル−オフ（SYL-OFF）（登録商標）９１５１である）、架橋剤（その非限定的な例は、シル−オフ（SYL-OFF）（登録商標）７６８２−０００である）、及び触媒（その非限定的な例は、シル−オフ（SYL-OFF）（登録商標）４０００である）から構成されてもよい。
【表３】
2008509288.tif 000010
【００５２】
Ｅ．障壁剤
場合によっては、障壁剤を基材と共に含むことが望ましい場合がある。障壁剤は、外側に向いている基材の第一側面及び／又は内側に向いている基材の第二側面のいずれにも／いずれかに適用されてもよい。障壁剤は、基材全体又はその一部分に適用されてもよい。それは、連続、半連続、若しくは不連続模様、又はこれらの組み合わせで適用されてもよい。それは不連続な位置において適用されてもよい。障壁剤は、噴霧、印刷、コーティング、及びこれらの組み合わせが挙げられるが、これらに限定されない、いかなる数の方法により基材に適用されてもよい。１つの非限定的な例では、障壁剤はインクの構成成分であってもよい。障壁剤は担体に適用されてもよく、その非限定的な例には、粒子、例えばゼオライト、デンプン、及びシクロデキストリン；ポリマーフィルム；セルロース系又は非セルロース系であってもよい織布又は不織布材料；並びにこれらの組み合わせが挙げられる。次に、障壁剤を含む担体がローラー基材に適用されてもよい。障壁剤はまた、基材の製造プロセス中に、基材と共にブレンドされてもよい。更に、障壁剤は基材の中に染み込ませることができる。障壁剤は、基材に直接適用されてもよい。それは、他の構成成分とは別個に基材に適用されることもできるし、又は他の構成成分と共にブレンドされて適用されてもよい。
【００５３】
１つの非限定的な実施形態では、障壁剤を含む担体は基材に積層化されてもよい。それは基材の不連続な位置に積層化されてもよい。理論に束縛されることを望まないが、場合によっては、基材上で接着剤が有益剤に接触することは有益剤の有効性を減らす可能性がある。障壁剤は、有益剤の有効性の起こり得る減少を防ぐのに役立つように、接着剤と有益剤を分離するために用いられてもよい。例えば、接着剤が外側に向いている基材の側面に適用され、香料のような有益剤が、接着剤がコーティングされた基材に適用されるはずである、１つの非限定的な実施形態では、接着剤と香料との接触を最小限にするために、香料が適用されるはずである領域のすべて又は幾つかの部分に障壁剤を適用することが望ましい場合がある。用いられる場合、障壁剤は、基材上に、約０．１ｇ／ｍ２〜約１５ｇ／ｍ２、又は約０．５ｇ／ｍ２〜約５ｇ／ｍ２、又は約１ｇ／ｍ２〜約３ｇ／ｍ２の量で存在してもよい。好適な障壁剤には、接着剤抑制インク（adhesive deadening inks）、ワニス、セラック、ラッカー、ポリオレフィン、パラフィン、ワックス、ポリアクリレート、ポリウレタン、フィルム形成ポリマーであって、ポリビニルアルコール、ポリビニルアセテート、又はこれらの組み合わせが挙げられるがこれらに限定されないフィルム形成ポリマーが挙げられるが、これらに限定されない。更に、熱可塑性及び／又は熱硬化性ポリマー（ポリエチレン及びポリプロピレンが挙げられるが、これらに限定されない）も単独で用いられてもよい。これらの種類のポリマーは、典型的には溶融状態で適用され、有益剤の適用前に固化させる。宝くじ券を印刷するときに用いられるインクのような高い不透明度／画線比率のインク（即ち、典型的には、酸化チタン及び／又は酸化アルミニウム系であるインク）もまた用いられてよい。これらのインクは、いったん乾燥すると緻密な表面障壁層を提供する「リーフィング」の能力を有する傾向がある。加えて、紫外線及び／又は電子ビームのようなエネルギー供給源により硬化されるポリマーを用いてもよい。これらの種類のポリマーは、水系化学物質（water based chemistries）より速く乾く傾向があり、したがって乾燥中に香料が接着剤の中に移動する可能性を減らす。これらの様々な種類の障壁剤が、単独で又は組み合わせて用いられてもよい。
【００５４】
好適な障壁剤の１つの非限定的な例は、ノースカロライナ州モーガトン（Morgaton）のエンバイロメンタル・インクス・アンド・コーティングス（Environmental Inks and Coatings）から市販され、アクア・スーパー・アドヘッシブ・デッドナーＥＣ０００７０２４（AQUA SUPER ADHESIVE DEADENER EC0007024）として販売されるインクである。別の好適な障壁剤は、エンバイロメンタル・インクス・アンド・コーティングス（Environmental Inks and Coatings）から市販される、アクアグロス・ロウスリップ・オーバープリント・ワニスＥＶ００００１３２（AQUAGLOSS LOW SLIP OVERPRINT VARNISH EV0000132）として販売される。更に別の好適な障壁剤は、ノースカロライナ州シャーロット（Charlotte）のサン・ケミカル・コーポレーション（Sun Chemical Corporation）から市販され、アクアバーＭＶＴＲコーティングＰＧＢ００２４２Ｇ１Ｂ（AQUABAR MVTR COATING PGB00242G1B）として販売される。更に、別の好適な障壁剤が、ニュージャージー州マウント・オリーブ（Mount Olive）のＢＡＳＦから市販され、アクロナルＳＳ０４ＮＬＤ５２８３２０（ACRONAL SS04 NLD 528320）として販売される。
【００５５】
更に、触媒が障壁剤の基材表面への固定及び接着を加速するように任意に用いられてもよい。これは、障壁剤が適用された直後の有益剤の適用を可能にする。任意の触媒の使用はまた、有益剤の障壁剤への基材上でのより緊密な位置合わせをもたらすのに役立つ場合があると考えられている。この目的のための１つの好適な触媒は、ノースカロライナ州モーガトン（Morgaton）のエンバイロメンタル・インクス・アンド・コーティングス（Environmental Inks and Coatings）により供給されるＥＶ００１３２２触媒（EV001322 Catalyst）である。
【００５６】
Ｆ．任意の追加成分
本発明はまた、１以上の他の任意の追加成分を含んでもよく、その非限定的な例は基材の状態をユーザーに伝達するシグナルである。例えば、基材の所定の部分が完全に使用されたとき、したがってロールから除去されるべき時期を指示するシグナルがあってもよい。用いられてもよいシグナルの非限定的な例には、しるし、色、嗅覚シグナルなどが挙げられる。
【００５７】
１つの非限定的な例は、しるしをロールの上に提供することを含み、その際このしるしは、基材のその部分が完全に使用されたときを合図するために、色を変える、又は消える、又は現れる。ある場合には、色を変えるシグナルは、未使用の基材と同様な色であるため、未使用の基材上では事実上目に見えない、白色の接着剤抑制インク（adhesive deadening inks）を使用する印刷図形を含有する基材であり得る。この目的のための１つの好適な接着剤抑制インク（adhesive deadening inks）は、エンバイロメンタル・インクス・アンド・コーティングス（Environmental Inks and Coatings）から入手可能なアクア・スーパー・アドヘッシブ・デッドナーＥＣ０００７０２４（AQUA SUPER ADHESIVE DEADENER EC0007024）である。いったん基材が用いられ、汚染物質により覆われたら、印刷図形は、汚染物質を拾い上げないため、目に見えるようになり、したがって、より暗い、汚染物質を含有する接着剤領域とは対照的に、より白色の領域として現れる。これは、この基材のラップをローラーから除去する時期であるという、ユーザーへのシグナルとして用いられてもよい。
【００５８】
別の非限定的な実施形態では、シグナルは、熱い及び冷たい温度の変化、湿度、光、又は気圧のようなローラー外部の変数が変化したときに、ユーザーに指示するために用いられ得る。１つの非限定的な例は、所定の活性化温度において変色する、示温インクである。１つのこうした示温インクは、ダイナカラー（DYNACOLOR）として販売され、コロラド州コロラドスプリングス（Colorado Springs）のクロマティック・テクノロジーズ・インコーポレイテッド（Chromatic Technologies Incorporated）（「ＣＴＩ」）から入手可能である。
【００５９】
更に別の非限定的な例では、所定の使用圧力下で破裂し、それにより内容物を放出することができる、カプセル化されたインクが用いられてもよい。所望であれば、内容物は、使用中に図形を現すために着色することができる。この目的のために用いられてもよいインクの非限定的な例には、感圧ノーカーボンコピー用紙上に用いられるもののような、圧力により誘発されるインクが挙げられる。本発明に用いるのに好適なカプセル化されたインクは、カリフォルニア州ロングビーチ（Long Beach）のセイコー・エプソン・コーポレーション（Seiko Epson Corporation）から市販される。
【００６０】
任意の追加成分は、外側に向いている基材の第一側面上に、及び／又は内側に向いている基材の第二側面上に存在してもよい。基材に加えられるとき、追加成分は、基材上に、約０．１ｇ／ｍ２〜約１５ｇ／ｍ２、又は約０．５ｇ／ｍ２〜約５ｇ／ｍ２、又は約１ｇ／ｍ２〜約３ｇ／ｍ２の量で存在してもよい。それは基材にいかなる形態で加えられてもよく、その非限定的な例には、液体、粉末、固体、及び／又は発泡体が挙げられる。任意の追加成分は基材に、当業者によく知られている多数の方法で適用されてもよく、それには噴霧、印刷、コーティング、及びこれらの組み合わせが挙げられるが、これらに限定されない。任意の追加成分は、基材に直接適用されてもよい。それらは、他の構成成分とは別個に基材に適用されることもできるし、又は他の構成成分と共にブレンドされて適用されてもよい。任意の追加成分はまた、基材の製造プロセス中に、基材と共にブレンドされてもよい。更に、任意の追加成分は、基材の中に染み込ませることができる。任意の追加成分は、基材全体又はその一部分に適用されてもよい。それらは不連続な位置において適用されてもよい。それらは、連続、半連続、若しくは不連続模様、又はこれらの組み合わせで適用されてもよい。
【００６１】
ローラー物品
基材、有益剤、及び上記のローラーのその他の可能性のある構成成分に加えて、本発明のローラー物品はまたハンドルを含んでもよい。ハンドルは当業者によく知られた材料で構築されることができる。ハンドルはローラーと一体化していてもよいし、又はローラーから取り外し可能であってもよい。ローラー物品はまた、ローラー物品を覆うためのカバーを含んでもよい。カバーは、ローラー物品の全部又は幾らかの部分を覆ってもよい。カバーは、当業者によく知られたいかなる材料で構築されてもよく、その非限定的な例には、紙、プラスチックなどのようなセルロース系及び非セルロース系構成成分が挙げられる。ローラー物品の全部又は幾らかの部分は使い捨てであってもよい。使用説明書は、例えばローラーの上包の上及び／又は基材自体の上に含まれてもよい。
【００６２】
ローラー物品の製造方法
本発明のローラー物品を製造する１つの非限定的な好適な方法が以下に記載される。印刷なしの空白であるか、又は図形／色が予備印刷されているかのいずれかであってもよい基材が、巻き戻しされる。液体剥離剤が、ローラー上で内側に向いているはずである基材の側面に適用される。剥離コーティングを適用するための非限定的な方法には、印刷、コーティング、及びこれらの組み合わせが挙げられる。次に剥離コーティングが硬化される。硬化のための非限定的な好適な方法には、熱硬化、ＵＶ硬化、及び／又は電子ビーム硬化が挙げられる。接着剤は、溶融するまで、タンクの中で加熱される。接着剤がコーティングヘッド（例えばスロットコーティング装置、噴霧コーティング装置、キスコーティング装置、又は同様なもの）に供給され、外側に向いている基材の側面上に薄いフィルムとして適用される。接着剤は、基材に、連続又は不連続な模様で適用されてもよい。次に接着剤が基材上で硬化される。上記の同じ硬化技術がまた、接着剤を硬化するために用いられてもよい。有益剤が接着剤の上に直接適用される。
【００６３】
あるいは、有益剤を接着剤から分離するために、障壁剤が最初に基材の上に適用され、有益剤が障壁剤の上に適用されてもよい。基材に有益剤及び障壁剤（用いられる場合）を適用するための１つの好適な方法は、フレキソ印刷プロセスによるものであり、その場合障壁剤が接着剤上に最初に印刷され、次いで有益剤が適用される。有益剤は、有益剤が、障壁剤及び／又は接着剤の印刷された模様に、典型的には約０．１２〜０．２５ｍｍの小さい許容誤差内でオーバーレイする模様で基材上に印刷されるように、障壁剤（用いられる場合）及び／又は接着剤に位置合わせされてもよい。インライン又はセントラルインプレッションのフレキソ印刷機をこの目的のために用いることができる。印刷模様は、連続、不連続、又はこれらの組み合わせであることができる。
【００６４】
１つの非限定的な実施形態では、障壁剤は、製造ラインにおいてテープが変えられる間に香料が接着剤領域を汚すこと、及びにじみ出ることを最小限にする模様に印刷されることができる。１つの非限定的な例では、障壁剤は、長方形の模様に印刷され、香料は、障壁剤の長方形の模様の短い方の長さの上に、より小さい正方形として印刷される。液体香料の、製造ライン中での静止した又は駆動されるローラーとの接触は、香料が元の印刷された正方形の模様からにじみ出て、濡れた尾を背後に作り出す原因となる場合がある。香料の濡れた尾が生じることが予想される領域に障壁剤を印刷することにより、製造ライン上での処理中に香料がにじみ出た後でさえも香料が接着剤に接触することを妨げることが可能となる。
【００６５】
印刷された基材は、切り込みを入れられ、穿孔され、またコアの周囲に巻き直されて、典型的には、約１０１ｍｍの幅であり典型的には１５〜７０のラップを含む最終的なロールの大きさにされる。コアは、典型的には直径約３８ｍｍであるが、巻き直し装置（例えばタレット巻き直し装置）の中に、およそ１０１ｍｍの個々の長さの大きさで予め装填されていてもよいし、又は巻き直し操作後に適切な大きさ（およそ１０１ｍｍ）に切断される長いコアのログとして巻き直し装置の中に予め装填されていてもよい。外側のカバーシートは、基材の第一の接着剤シートを、埃及び汚れから保護するために適用されてもよい。ハンドルは、典型的にはコアの中に手を使って又は機械的に挿入されてもよい。更に、所望であれば、外側のカバー（その１つの非限定的な例はプラスチックのハードカバーである）は、使用中及び／又は保管中のいかなる場合にでも露出した接着剤シートを保護するために、ローラー物品を覆うために適用されてもよい。
【００６６】
香料組成物の実施形態
次の非限定的な香料組成物の実施形態は、本発明と共に用いるために好適である。実施形態のための各香料成分の量は重量％で示される。
【表４】
2008509288.tif 000011
【００６７】
ローラーの実施形態
本発明のローラーの非限定的な実施形態が以下に記載される。
【００６８】
実施形態１
およそ４６重量％のシル−オフ（SYL-OFF）（登録商標）９１１０、およそ４６重量％のシル−オフ（SYL-OFF）（登録商標）９１５１、およそ６重量％のシル−オフ（SYL-OFF）（登録商標）７６８２−０００、及びおよそ２重量％のシル−オフ（SYL-OFF）（登録商標）４０００から構成されるシリコーン剥離剤システムが、およそ０．１０７ｍｍのキャリパー、およそ６５ｇ／ｍ２の坪量を有し、及びオハイオ州シンシナティ（Cincinnati）のクロペイ・プラスチック・プロダクツ（Clopay Plastic Products）により供給されるポリプロピレン基材の、内側に向いている側面に適用される。剥離剤は基材に、およそ約１．２ｇ／ｍ２の量で適用され、次におよそ約８８℃〜９３℃（１９０°Ｆ〜２００°Ｆ）の温度で熱硬化される。Ｈ．Ｂ．フラー（H.B. Fuller）により製造されＨＭ−１９０２Ｘとして販売されるホットメルト接着剤が、およそ約１６３℃（３２５°Ｆ）の温度で、ポリプロピレン基材の外側に向いている表面に、約１５ｇの接着剤／ｍ２〜２５ｇの接着剤／１ｍ２の基材の量でコーティングされることにより適用される。接着剤を冷却させる。およそ３５％のブルーミング成分及びおよそ６５％の持続性成分から構成される香料組成物が、接着剤がコーティングされた外側に向いている基材の表面に、各ラップの幅にわたる２〜５の不連続のストライプで、あるいはローラー基材の長さ全体にわたる２〜５の不連続のストライプで適用される。幅約１〜３ｍｍの各ストライプは、はけ塗りにより、又はフレキソ印刷技術により、又は噴霧により適用される。この目的のための１つの好適な噴霧器は、ニューヨーク州ミルトン（Milton）のソノ−テック（Sono-Tek）により製造される超音波ノズルを有するソノフラックス・ワイド・トラック・スプレイヤー（SONOFLUX WIDE TRAK SPRAYER）、及びマサチューセッツ州ビバリー（Beverly）のサーモ・オリオン（Thermo Orion）により供給される精密シリンジポンプモデル番号Ｍ３６１である。接着剤表面全体への香料の濃度は、およそ１．５〜３．０ｇ／ｍ２である。理論に束縛されることを望まないが、この濃度において、香料をローラーから布地表面に使用中に移動させることができ、その一方で、ローラーの粘着及びその他の性能属性が維持できると考えられている。
【００６９】
実施形態２
実施形態１に記載されるようなホットメルト接着剤及び剥離剤でコーティングされたポリプロピレン基材が用いられる。この実施形態では、実施形態１の香料組成物が、接着剤がコーティングされた基材の表面全体の上に噴霧される。ノズルから分配される香料粒子のＤ９０粒度の直径（即ち、およそ９０％の粒子がこの値より大きい直径を有する）は、約３ミクロン〜約２００ミクロンの範囲である。この目的のために好適な噴霧ノズルは、イリノイ州ホィートン（Wheaton）のスプレーイング・システムズ社（Spraying Systems Company）から入手可能である、部品番号（Part Nos.）１／８ＪＪ＋ＰＦＪ１０５０＋ＰＡＪ７３３２０（有益剤と空気との内部混合）又は部品番号１／８ＪＪ＋ＰＦＪ１０５０＋ＰＡＪ０８０−６５／ＰＡＪ０７５９０／ＰＡＪ７３３２０（香料と空気との外部混合）である。理論に束縛されることを望まないが、この粒度範囲は香料の揮発を減らすのに役立つと考えられている。更に、所望であれば、ウェブ処理方法により、又はリングローリング、セルフィング（selfing）、エンボス加工など、しかしこれらに限定されない方法を介した基材の機械的な変形により、ミクロクレープが、外側に向いている基材の側面上に作り出されてもよい。理論に束縛されることを望まないが、基材への適用時に香料組成物はこれらのミクロクレープの中に定着し、それによって香料の揮発を減らすのに役立ち、したがって香料の寿命を長くするのに役立つと考えられる。
【００７０】
実施形態３
実施形態１に記載されるようなホットメルト接着剤及び剥離剤によりコーティングされたポリプロピレン基材が用いられる。実施形態１の香料組成物が、不連続なストライプに適用され、各ストライプは、幅約２〜４ｍｍ及び長さ約１００〜１５０ｍｍである。各ストライプは、基材の幅を対角線上に横切って走る。基材の１ラップにつきおよそ３〜５のストライプが存在する。ストライプは、フレキソ印刷プロセスを使用して適用される。香料組成物を基材上にフレキソ印刷するとき、香料組成物を増粘剤とプレミックスすることにより、香料組成物を増粘することが望ましい場合があり、増粘剤の非限定的な例は５％エチルセルロースである。理論に束縛されることを望まないが、香料を増粘することにより、香料のより多くが印刷プレートから基材に移動し、それにより香料の揮発度を、その特徴を変えることなく減らすことにより、また香料の基材への付加を増加させることにより、香料の寿命を長くすると考えられている。この目的のための好適なフレキソ印刷機は、オハイオ州ミルフォード（Milford）のマークアンディ（MarkAndy）から市販される、幅２８ｃｍの大きさで、６ステーションを有し、熱風乾燥ができるナローウェブのコムコ（Comco）フレキソ印刷機である。
【００７１】
実施形態４
ポリプロピレン基材が、約０．０９１ｍｍのキャリパー及び約６４ｇ／ｍ２の坪量を有し、トレデガー（Tredegar）により供給されるエクストレル（EXTREL）（登録商標）３６６として市販されるポリプロピレン基材であってもよいことを除いて、実施形態１に記載されるようなホットメルト接着剤及び剥離剤によりコーティングされたポリプロピレン基材が用いられる。あるいは、接着剤がコーティングされ且つ剥離剤により処理された基材が用いられてもよいことに注意するべきである。こうした基材は、オハイオ州ハドソン（Hudson）のインターナショナル・グラフィック・フィルムズ・インコーポレイテッド（International Graphic Films Incorporated）から入手可能である。有益剤（その非限定的な例は、実施形態１の香料のような香料である）が、フレキソ印刷プロセスを介して、接着剤がコーティングされた外側に向いている基材の側面に適用される。この実施形態では、香料は明確な模様に印刷され、その非限定的な例は、円形のドット模様であり、各ドットはおよそ約１ｍｍ〜約５ｍｍの直径を有する。ドット当たりの香料の濃度は、具体的な香料組成物及び使用中に移動されるべき香料の所望の濃度に応じて、およそ約０．０８ｍｇ〜約０．２０ｍｇの香料である。接着剤抑制インクのような障壁剤もまた用いられてもよい。障壁剤は、接着剤がコーティングされた基材に、香料組成物の前に印刷され、また香料とおよそ同じ濃度で存在する。あるいは、障壁剤及び香料はプレミックスされ、共に基材に適用されることができる。障壁剤及び香料は、互いに同じ模様で印刷されてもよい。香料組成物が障壁剤にオーバーレイするように、両方が互いに位置合わせすることができる。したがって、本発明の実施例における障壁剤はまた、ドットから構成されてもよく、各ドットは、およそ約１ｍｍ〜５ｍｍの直径を有する。ドット模様に加えて、その他の模様が用いられてもよく、その非限定的な例にはロゼット、網版などが挙げられる。障壁剤は、所望であれば、着色されてもよい。更に、所望であれば障壁剤の別の層が、障壁剤の第一層にオーバーレイされてもよい。次に、香料のような有益剤が、障壁剤の最後の層の上にオーバーレイされてもよい。障壁剤及び／又は有益剤の各層を構成するドットは、層によって大きさが変わってもよい。更に、障壁剤及び／又は有益剤を含むドットは、所定の層内で大きさが変わってもよい。
【００７２】
香料及び抑制剤は、１００％のすき間のない画線比率になりがちなドットの強度より弱い強度で画像を複製するように、網版のようなドットより弱い強度の模様で印刷されることができる。より弱い強度（１００％未満の画線比率）の模様を使用することは、印刷領域中の糸屑を拾い上げる目的のために、より多くの接着剤をローラーの印刷領域で利用可能にすることができる。いかなる印刷模様も用いられてもよいことに注意するべきである。例えば、１つの非限定的な例では、障壁剤及び／又は香料のような有益剤は、接着剤がコーティングされた基材上に、アルファベットの文字が挙げられるがこれに限定されない、しるしの形態で印刷されることができる。
【００７３】
所望であれば、障壁剤及び／又は有益剤は着色されることができる。顔料はいかなる色であることもできる。１つの非限定的な実施形態では、顔料は、接着剤がコーティングされた基材の表面の陰影と異なる陰影のものである。その結果これは、接着剤がコーティングされた基材上に印刷されて、審美的に魅力的な外見をもたらすことができる。更に、接着剤がコーティングされた基材上に、障壁剤及び／又は有益剤を模様で印刷することはまた、ローラー基材のラップを除去する必要がある時期に関しての、ローラーのユーザーへのシグナルとしての役目をするために用い得る。１つの非限定的な実施例では、接着剤により処理された領域は汚染物質を拾い上げるが、接着剤がコーティングされ且つ障壁剤を含む基材の領域、又は接着剤により処理されない基材の領域のいずれも汚染物質を拾い上げない。障壁剤は、基材のラップを除去する時期に関して、ユーザーへのシグナルを提供するメッセージのようなしるしの形態で、基材上に印刷されることができる。使用前に、初めは、障壁剤は目に見えない。使用時には、メッセージは、障壁剤が適用された基材の領域で目に見えるようになるが、それは、これらの処理された領域では、目に見える汚染物質の程度が、未処理の接着剤がコーティングされた領域よりもかなり低いためである。
【００７４】
任意に、静電気防止剤のような有益剤もまた、フレキソ印刷を介して、接着剤がコーティングされた外側に向いている基材の側面上に、およそ０．１２５ｇ／ｍ２の量で適用されてもよい。あるいは、静電気防止剤は、それを接着剤と混合し、その混合物を基材に適用することにより、適用されてもよい。接着剤に加えられるとき、接着剤のおよそ０．５重量％〜２重量％の静電気防止剤が加えられる。好適な静電気防止剤の例には、四級アンモニウム系物質が挙げられるが、これに限定されない。１つの好適な静電気防止剤は、イリノイ州エルク・グローブ（Elk Grove）のＡＣＬスタティサイド・インコーポレイテッド（ACL Staticide Incorporated）から入手可能なスタティサイド（STATICIDE）製品番号２００１として市販されているが、これは非多孔質フィルム表面用のすぐに使える状態の静電気防止剤である。用いられる場合、静電気防止剤は、香料及び／又は障壁剤と上記のように位置合わせして適用されてもよいし、あるいは静電気防止剤は、接着剤がコーティングされた外側に向いている基材の側面に直接適用されてもよい。あるいは、静電気防止剤は１以上の有益剤とプレミックスされてもよく、その非限定的な例は、実施形態１の香料のような香料である。
【００７５】
実施形態５
障壁剤は、接着剤がコーティングされた、外側に向いている基材の表面に、フレキソ印刷を介してストライプ模様で印刷される。香料が、シングルパスのフレキソ印刷プロセスにおいて、障壁剤が適用される領域の上に印刷される。香料組成物の障壁剤への印刷の位置合わせは、０．２６ｍｍ以内である。この手法は、香料と典型的なホットメルト接着剤との共混和性により生じる、香料と接着剤との間の可能性のある相互作用を減らすのに役立つ。この手法はまた、接着剤と香料との間の接触を排除することにより、用い得る接着剤の範囲を拡大する。障壁剤及び香料はプレミックスされ、基材に共に適用され得ることに注意するべきである。
【００７６】
印刷プレートは、ミクロ溝を含むように改善されてもよい（その１つの非限定的な例は、少なくとも約０．１２７ｍｍの深さを有するミクロ溝を含むことである）。ミクロ溝は、いかなる模様の形態であってもよく、ロゼット、ドットなどが挙げられるが、これらに限定されない。理論に束縛されることを望まないが、これは、基材の表面への有益剤のより大きい被覆重量の供給を可能にすると考えられている。あるいは、より大きい被覆重量はまた、例えば印刷機上での複数の印刷ステーションの使用を通じて、刷り重ねすることにより実現することができる。
【００７７】
実施形態６
この実施形態は、障壁剤及び有益剤が、ストライプ模様の代わりに基材上にドット模様で印刷されることを除いて、実施形態５と同じである。有益剤は、約０．００１ｇの香料／１ｃｍ２の基材の濃度で基材上に存在する香料である。
【００７８】
実施形態７
この実施形態は、有益剤が、香料の代わりに静電気防止剤であることを除いて、実施形態４と同じである。静電気防止剤は、約０．１ｇ／ｍ２〜約２ｇ／ｍ２の量で基材に適用される。
【００７９】
実施形態８
この実施形態は、有益剤が香料の代わりに静電気防止剤であることを除いて、実施形態６と同じである。
【００８０】
実施形態９
この実施形態は、香料及び静電気防止剤の両方が、接着剤がコーティングされた基材の別個の領域上に、別個に印刷されることを除いて、実施形態６と類似している。典型的には、香料及び静電気防止剤の両方は、障壁剤で処理された、接着剤がコーティングされた基材の領域上に印刷される。所望であれば、香料及び静電気防止剤はプレミックスされ、並びに障壁剤で処理された、接着剤がコーティングされた基材の領域上に共に印刷されてもよい。あるいは、香料及び静電気防止剤は、別個に順に重ねて印刷することができる。
【００８１】
実施形態１０
接着剤は、接着剤が適用されない、外側に向いている側面の領域を残すように、外側に向いている基材の側面上にパターンコーティングされてもよい。接着剤は、いかなる種類の模様で適用されてもよく、その非限定的な例には、ドット、ストライプ、格子などが挙げられる。香料のような有益剤は、接着剤がコーティングされていない基材の領域に適用される。そのとき香料は、コーティングされていない陥凹部に「流入する」ように、外側に向いている側面に適用される。このようにして、香料は、接着剤を基材上に模様で適用することから生じる基材表面の陥凹部に収容される。あるいは、陥凹部は、接着剤の適用前又は後のいずれかに、基材をエンボス加工することにより形成され得る。これは、香料がローラー中の基材の次のラップの、内側に向いている側面に移ることを防ぐのに役立つ。それはまた、布地との接触時に布地に移動可能であることを保持しながら、香料の揮発及び香料と接着剤との接触を最小限にするのに役立つ。
【００８２】
実施形態１１
実施形態１０のように、香料は、ドット模様（各ドットは、およそ０．３ｍｍの直径を有する）の陥凹部に適用されて、基材に香料が底部に存在する陥凹領域を作り出す。この実施形態では、基材を、硬い、レリーフをしたプレート（エンボス加工）と、より軟らかいバッキング・ロールとの間に押し通すことにより、陥凹部を作り出して、基材全体に分布し目的通りの異なる深さを有する陥凹部の所望の模様を作り出し、それにより、印刷プレートとの基材の圧力／接触点に応じて、程度の差はあるが香料を保持する能力をもたらす。これを生じ得る方法の非限定的な例は、活版印刷の使用を介することなどである。
【００８３】
実施形態１２
より３次元的な構造を作り出して有益剤の移動及び審美性を高めるために、香料は、香料を染み込ませる（圧力下のスポンジに類似）ために発泡性障壁剤（この非限定的な例は、膨張インク（expanding ink）である）と共に用いられてもよい。香料は、発泡性障壁剤の毛管力により保持される。発泡性障壁剤はスポンジとして作用し、接触／圧力時に、香料を基材に移す。この目的のために好適な膨張性の発泡インクの１つの好適な例は、ニューヨーク州ブロンクス（Bronx）のポリテックス・エンバイロメンタル・インクス（Polytex Environmental Inks）により製造される。
【００８４】
実施形態１３
セルロース系又は非セルロース系材料（その非限定的な例には、紙、プラスチック、発泡体、共押出フィルム、不織布、及び／又は同様なものが挙げられる）の幅およそ１〜２ｍｍの狭いストリップは、香料が挙げられるがこれに限定されない有益剤によりコーティングされることができる。有益剤によりコーティングされたこの材料は、次に基材に長手方向又は横方向のいずれかにおいて付着され得る（この非限定的な例には、積層化による付着が挙げられる）。この技術を用いることにより、有益剤は接着剤から分離され、したがって接着剤／有益剤の適合性についての潜在的な懸念を最小限にすることができる。
【００８５】
実施形態１４
香料が、溶融されたホットメルト接着剤とプレミックスされ、この混合物が、スロットコーティング装置を介して、０．０７５ｍｍのキャリパーを有し、トレデガー（Tredegar）から市販される、ポリプロピレン基材の、外側に向いている側面に適用される。顕著な香料の移動をもたらす、接着剤中の香料の濃度は、典型的には約５％〜１０％である。ＧＥシリコーンズ（GE silicones）から入手可能なシリコーン剥離コーティングが、内側に向いている基材の側面に適用される。
【００８６】
実施形態１５
香料は、布上でのローラーの回転動作により生成されるもののような剪断力を受けるとき、又は基材のラップがローラーから剥がされるときに放出される誘発化学物質（例えば、少量の水及びアルコール）との接触時に破断する軟らかい殻の中にカプセル化される。香料は、デンプン系カプセル又は他のポリマー材料の中にカプセル化されてもよい。それは、基材の表面（例えば、接着剤により処理された基材の表面）上に、粉末噴霧、コーティング、及び／又は印刷技術のような方法を介して適用されてもよい。あるいは香料は、乾燥及び湿潤の両方の高内相のエマルション（「ＨＩＰＥ」）を介して装填でき、これはマイクロカプセルと対比して、軟らかい殻より高率で装填される（即ち約９０＋％対約５０％〜７０％）という有利な点を有し、またより容易な適用方法（コーティング技術）である（即ち、「装填された」又は「装填係数」は、全マイクロカプセル重量に対する香料の重量を指し、その結果１つの非限定的な例では、６０％装填されたマイクロカプセルとは、６０％の香料と４０％のマイクロカプセルの殻材料とを含有するマイクロカプセルを指す）。この目的のための好適なマイクロカプセルは、ミネソタ州ウッドベリー（Woodbury）の、アベカ・インコーポレイテッド（Aveka Incorporated）から入手可能である。
【００８７】
実施形態１６
基材は、基材の表面上で長時間にわたって活性化する香りを送達する香料のような有益剤を含んでもよい。これを行う１つの非限定的な手段は、共押出プラスチックフィルムから構成される基材を使用することである。この目的のために好適なプラスチックには、ポリプロピレン、ポリエチレンテレフタレートなどが挙げられるが、これらに限定されない。押出の前に、プラスチックはプラスチックペレットの形態であってもよい。香料組成物は、押出の前に、プラスチックペレットの中にプレミックスされることができる。所望であれば、共押出プラスチックフィルムの１つの側面は、香料組成物を含むことができ、その一方で、もう１つの側面は、香料組成物が基材の中にウィッキングするのを防ぐための障壁として作用する。その結果、香料の香りは、香料がプラスチックフィルムの全体から基材の表面に移動するために、長時間にわたって放出される傾向がある。香料の香りは、ローラーが布地と接触するときに、ローラーから布地へと移される。所望であれば、表面全体が香料を含有することができる。あるいは、層の１以上が香料を含有する、２層以上のフィルムが共押出されることができる。この目的のために好適なプラスチックフィルムは、ニュージャージー州ハモントン（Hammonton）のポリベル・インコーポレイテッド（Polyvel Incorporated）から入手可能である。
【００８８】
実施形態１７
実施形態４に類似した、外側に向いている側面上に接着剤で、及び内側に向いている側面上に剥離剤でコーティングされた基材は、未使用の基材上ではほとんど目に見えないように基材の色と同じ色のインクを用いて印刷された印刷図形を含んでもよい。いったん基材ラップの接着剤領域が、汚染物質により覆われたら、印刷図形は、使用周期の終わりを、及びローラーから除去することによりこの基材ラップを廃棄して基材の新しい未使用のラップを露出するべき時期を、合図することができる。更に、図形は、温度、水分の程度、及び圧力に変化があったときに、現れる及び／又は消えるように設計されることができる。これは、温度、水分の程度、及び／又は圧力の変化と共に色を変える、特別なコーティング及び／又はインクを用いることにより達成され得る。例えば、所定の活性化温度でその色を変える示温インクを用いることができる。示温インクの１つの好適な例は、コロラド州コロラドスプリングス（Colorado Springs）のＣＴＩから市販されるダイナカラー（DYNACOLOR）である。この目的のために用いられてもよい別の好適なインクは、所定の圧力下で破裂し、それによりカプセル化物の内容物を放出することができる、カプセル化されたインクである。内容物は、使用中に図形が現れることを可能にする、インク顔料のような着色顔料を含むことができる。
【００８９】
１つの非限定的な実施形態では、０．０８ｍｍのキャリパー及び約７５ｇ／ｍ２の坪量を有し、エクストレル（EXTREL）３９３として販売され、トレデガー（Tredegar）から市販される、白色のポリプロピレン基材が用いられる。Ｈ．Ｂ．フラー（H.B. Fuller）からのホットメルト接着剤が、外側に向いている基材の側面に適用される。接着剤抑制剤から構成される障壁コーティングが、接着剤により処理された、外側に向いている基材の側面上に、ブランドロゴのような図形の模様にフレキソ印刷される。この目的のための好適な白色の接着剤は、エンバイロメンタル・インクス・アンド・コーティングス（Environmental Inks and Coatings）により製造され、アクア・スーパー・アドヘッシブ・デッドナーＥＣ０００７０２４（Aqua Super Adhesive Deadener EC 0007024）として市販される白色の接着剤抑制剤である。あるいは、アクアグロス・ロウスリップ・オーバープリント・ワニスＥＶ００００１３２（AQUAGLOSS LOW SLIP OVERPRINT VARNISH EV0000132）のようなワニスをこの目的のために用いることができる。次に、香料のような有益剤が、接着剤抑制剤により処理された基材の領域に適用される。使用中、接着剤抑制剤で処理された基材の領域は白色に見えるようになり、一方、基材の未処理の、接着剤によりコーティングされた領域は、汚染物質を拾い上げて暗く見えるようになる。その結果、接着剤抑制剤で処理された領域の白色の図形は、より暗い未処理の、接着剤がコーティングされた背景に対して目立つようになる。
【００９０】
実施形態１８
１つの非限定的な実施形態では、接着剤は、基材の表面に沿って不連続な領域に適用され、香料は、接着剤が存在しない他の領域に適用される。例えば、香料は、接着剤の連続した長手のストライプに平行な、連続した長手のストライプに適用されることができ、その際香料が適用されているストライプの領域には接着剤は存在しない。別の例では、接着剤は模様で適用され、香料は、香料が接着剤の存在しない領域に適用されるように接着剤と位置を合わされる。
【００９１】
図面の説明
図１を参照すると、本発明により製造されたローラー物品１０の１つの非限定的な実施形態が示される。ローラー物品１０は、ハンドル３０から構成される。基材４０を具備するローラー２０は、ハンドル３０に取り付けられる。基材４０は、ローラー２０の周りに巻き付く個々のシートから構成される。基材４０は接着剤で処理されてもよい。典型的には、基材４０は、基材４０の外側に向いている側面（即ち、使用中に消費者に向いている基材４０の側面）上で接着剤により処理される。基材４０は、有益剤５０を含んでもよい。有益剤５０は、図１に示されるように、基材５０の外側に向いている側面に適用されてもよい。有益剤５０はまた、基材５０の内側に向いている側面（図示せず）に、又は基材５０の外側に向いている側面及び内側に向いている側面の両方に適用されてもよい。剥離助剤が基材４０に適用されてもよい。典型的には、剥離助剤は、基材５０の内側に向いている側面に適用される。障壁剤が基材５０に適用されてもよい。障壁剤は、典型的には、接着剤と同じ、基材の側面に適用されるが、基材５０の外側に向いている側面又は内側に向いている側面のいずれか又は両方に適用されてもよい。その他の任意成分も同様に基材５０に適用されてもよい。基材５０へのこれらの添加物のいずれも、連続的又は不連続的に適用されてもよい。所望であれば、添加物は模様で適用されてもよい。図１の非限定的な実施形態では、有益剤５０は、ドット模様で不連続的に適用されているとして示される。所望であれば、添加物の１以上が、互いに位置合わせをしてもよい。
【００９２】
本発明の特定の実施形態について例証し説明したが、本発明の精神及び範囲を逸脱することなしに、様々な他の変更及び修正が可能であることは当業者には明らかであろう。そのため、本発明の範囲内にあるそのようなすべての変更及び修正を、添付の特許請求の範囲で扱うものとする。本明細書に引用される文献はすべて、関連部分において参考として組み込まれる。いかなる文献の引用も、それが本発明に関する先行技術であることを承認するものとして解釈されるべきでない。
【図面の簡単な説明】
【００９３】
【図１】本発明により製造されたローラー物品の実施形態の斜視図。
【図１】
2008509288.tif 000012
【国際調査報告】
2008509288.tif 000013
2008509288.tif 000014
2008509288.tif 000015